(57)【要約】【課題】  従来のトランプカードに示されるトランプの絵柄マークであるスートや図柄を指し示す意味の英語表記を学習することができるトランプカードを提供することにある。【解決手段】  カードの角の対角位置に描かれるスペード、ハート、クラブ及びダイヤが、絵柄マークであるスートではなく、英語表記の文字でのみ表記され、ジョーカ、ジャック、クイーン及びキングが、図柄ではなく、英語表記の文字でのみ表記され、１から１０までの数値を示す表記が、数字ではなく、数値を示す英語表記の文字のみで表記され、エースのカードの表記が、絵柄マークであるスートではなく、エースを示す英語表記の文字でのみ表記されていることを特徴とする。【選択図】図１
2014210157.tif 000002
【特許請求の範囲】
【請求項１】
カードの角の対角位置に描かれるスペード、ハート、クラブ及びダイヤが、絵柄マークであるスートではなく、英語表記の文字でのみ表記されていることを特徴とするトランプカード。
【請求項２】
ジョーカ、ジャック、クイーン及びキングが、図柄ではなく、英語表記の文字でのみ表記されていることを特徴とする請求項１記載のトランプカード。
【請求項３】
１から１０までの数値を示す表記が、絵柄マークであるスートではなく、該数値を示す英語表記の文字のみで表記されていることを特徴とする請求項１又は請求項２記載のトランプカード。
【請求項４】
エースのカードの表記が、絵柄マークであるスートではなく、エースを示す英語表記の文字でのみ表記されていることを特徴とする請求項１〜請求項３のいずれかに記載のトランプカード。
【請求項５】
前記カードの角の対角位置に示された前記スペード、ハート、クラブ及びダイヤを示す英語表記の文字のうち、一方を筆記体で表記し、且つ該カードの長手方向に沿って表記されていることを特徴とする請求項１〜請求項４のいずれかに記載のトランプカード。
【請求項６】
スペード、ハート、クラブ、ダイヤ、ジョーカ、ジャック、クイーン、キング及び１から１０までの数値を示す表記が、点字で形成されていることを特徴とする請求項１〜請求項５のいずれかに記載のトランプカード。
【請求項７】
前記点字の凹凸に、黒又は赤の着色が施されていることを特徴とする請求項６記載のトランプカード。
【発明の詳細な説明】
【技術分野】
【０００１】
本発明は、トランプカードに関する。
【背景技術】
【０００２】
従来より、一般的なトランプカード以外に、いろいろな記載や装飾が施されたトランプカードが提案され、用いられている。例えば、トランプカードからの派生として、特許文献１に示すような英会話学習用ゲームがある。
【０００３】
特許文献１の英会話学習用ゲームは、カードの左上隅の位置にハート等のトランプ記号とその横に英単語、その対角線上にある右下隅の位置に同じトランプ記号と同じ英単語、そして中央部にそれよりも大きな文字で同じ英単語を表示させることにより、英単語カードをゲーム形式で使用することができるようにしたものである。
【先行技術文献】
【特許文献】
【０００４】
【特許文献１】実用新案登録第３１５３１４０号公報
【発明の概要】
【発明が解決しようとする課題】
【０００５】
しかしながら、従来のトランプカードやトランプカードに付随するものでは、スペード、ハート、クラブ、ダイヤのトランプ記号（スート（絵柄マーク））が必ず描かれており、これらの英語表記を学習することはできない。また、通常のトランプカードでキングやクイーンのような絵柄が描かれたカードにも英語表記は無く、これらの英単語を学習することができない。
【０００６】
本発明は、このような事情に鑑みてなされたもので、従来のトランプカードに示されるトランプの絵柄マークであるスートや図柄を指し示す意味の英語表記を学習することができるトランプカードを提供することにある。
【課題を解決するための手段】
【０００７】
請求項１記載のトランプカードは、カードの角の対角位置に描かれるスペード、ハート、クラブ及びダイヤが、絵柄マークであるスートではなく、英語表記の文字でのみ表記されていることを特徴とする。
【０００８】
請求項２記載のトランプカードは、ジョーカ、ジャック、クイーン及びキングが、図柄ではなく、英語表記の文字でのみ表記されていることを特徴とする。
【０００９】
請求項３記載のトランプカードは、１から１０までの数値を示す表記が、絵柄マークであるスートではなく、数値を示す英語表記の文字のみで表記されていることを特徴とする。
【００１０】
請求項４記載のトランプカードは、エースのカードの表記が、絵柄マークであるスートではなく、エースを示す英語表記の文字でのみ表記されていることを特徴とする。
【００１１】
請求項５記載のトランプカードは、カードの角の対角位置に示されたスペード、ハート、クラブ及びダイヤを示す英語表記の文字のうち、一方を筆記体で表記し、且つカードの長手方向に沿って表記されていることを特徴とする。
【００１２】
請求項６記載のトランプカードは、スペード、ハート、クラブ、ダイヤ、ジョーカ、ジャック、クイーン、キング及び１から１０までの数値を示す表記が、点字で形成されていることを特徴とする。
【００１３】
請求項７記載のトランプカードは、点字の凹凸に、黒又は赤の着色が施されていることを特徴とする。
【発明の効果】
【００１４】
本出願の発明によれば、従来のトランプカードに示されるトランプの絵柄マークであるスートや図柄を指し示す意味の英語表記を学習することができる。
【図面の簡単な説明】
【００１５】
【図１】本発明に係るトランプカードの一例を示す説明図である。
【発明を実施するための形態】
【００１６】
以下、本発明の形態について図面を参照しながら具体的に説明する。図１は、本発明に係るトランプカードの一例を示す説明図である。図１におけるトランプカード１は、通常のルールのトランプとして使用するカードである。
【００１７】
トランプカード１は、トランプカード本体１０，２０，３０に示すように、いずれのカードにもカードの角の対角位置に描かれるスペード、ハート、クラブ及びダイヤが、トランプの絵柄マークであるスートでは描かれていない。その代わりに、スペードは「Ｓｐａｄｅ」と英語表示の文字のみのトランプ記号英語文字表記１２、ハートは「Ｈｅａｒｔ」と英語表示の文字のみのトランプ記号英語文字表記２２で、ダイヤは「Ｄｉａ」と英語表示の文字のみのトランプ記号英語文字表記３２で、表記されている（クラブは図示されていないが、同様に「Ｃｌｕｂ」と英語表示の文字のみのトランプ記号英語文字表記で表記される）。
【００１８】
また、トランプカード本体４０に示すように、ジョーカのカードにはジョーカを示す図柄は描かれておらず、ジョーカを示す英語表記の文字である「Ｊｏｋｅｒ」のジョーカ英語文字表記４２のみ表記されている。尚、通常であれば図柄で描かれるジャック、クイーン及びキングについても、図柄ではなく、ジャック、クイーン及びキングを示す英語表記の文字である「Ｊａｃｋ」、「Ｑｕｅｅｎ」及び「Ｋｉｎｇ」でのみ表記されている（図１のトランプカード本体３０のジャック英語文字表記３４参照）。
【００１９】
さらに、トランプカード本体２０に示すように、１から１０までの数値を示す表記が、トランプの絵柄マークであるスートではなく、数値を示す「Ｔｗｏ」といった数字英語文字表記２４の英語表記の文字のみで表記されている。
【００２０】
尚、エースのカードの表記が、トランプの絵柄マークであるスートではなく、エースを示す英語表記の文字である「Ａｃｅ」でのみ表記されている（図１のトランプカード本体１０の数字英語文字表記１４参照）。
【００２１】
以上のような本実施の形態におけるトランプカード１によれば、従来のトランプカードに示されるトランプの絵柄マークであるスートや図柄を指し示す意味の英語表記を学習することができる。尚、トランプカード１の絵柄マークであるスート以外の図柄（ジョーカやジャックやクイーンやキングの図柄）を残すことも可能であるが、すべてを英語表記の文字にしてしまうことが好ましい。また、すべてを英語表記にすることで、従来のトランプカードによるゲームよりも、難易度を上げることができる。
【００２２】
尚、図１に示すトランプカード本体１０，２０，３０では、角の対角位置に示されたスペード、ハート、クラブ及びダイヤを示す英語表記の文字（トランプ記号英語文字表記１２，２２，３２）のいずれをもトランプカード本体１０，２０，３０を縦長に配置して意味が読み取れるように短手方向に沿って筆記体ではない書体で表記している。しかし、この表記に限られるものではなく、対角位置に示されたトランプ記号英語文字表記１２，２２，３２の一方を筆記体で表記し、且つトランプカード本体１０，２０，３０の長手方向に沿って表記することもできる。尚、トランプ記号英語文字表記１２，２２，３２の一方をトランプカード本体１０，２０，３０の長手方向に沿って表記する場合の文字の向きは、図１に示すトランプ記号英語文字表記１２，２２，３２を右に９０度回転させた向きでもよいし、左に９０度回転させた向きでもよい。
【００２３】
さらに、トランプ記号英語文字表記１２，２２，３２、数字英語文字表記１４，２４、ジャック英語文字表記３４及びジョーカ英語文字表記４２等のスペード、ハート、クラブ、ダイヤ、ジョーカ、ジャック、クイーン、キング及び１から１０までの数値を示す表記を示す点字を、設けるようにしてもよい。点字を施すことで、より多くの人がトランプカードを楽しむことができるようになる。
【００２４】
また、この点字の凹凸に黒又は赤の着色を施すようにしてもよい。いずれの色で着色するかは任意であるが、例えば、スペード及びクラブは黒で着色し、ハート及びダイヤは赤で着色するようにする。このように点字に着色を施すことで、一般の人が点字を目視しやすくなり、点字への興味を持ってもらいやすくなる。
【産業上の利用可能性】
【００２５】
本発明により、従来のトランプカードに示されるトランプの絵柄マークであるスートや図柄を指し示す意味の英語表記を学習することができるトランプカードを提供することができる。
【符号の説明】
【００２６】
１・・・・トランプカード
１０・・・トランプカード本体
１２・・・トランプ記号英語文字表記
１４・・・数字英語文字表記
２０・・・トランプカード本体
２２・・・トランプ記号英語文字表記
２４・・・数字英語文字表記
３０・・・トランプカード本体
３２・・・トランプ記号英語文字表記
３４・・・ジャック英語文字表記
４０・・・トランプカード本体
４２・・・ジョーカ英語文字表記
【図１】
2014210157.tif 000003